(57)【要約】【課題】内部で液体を効率的に反応させる反応流路と、内部に汚れが付着しにくいフローセルとを連結して、少量の試料液を連続して分析するのに適した流れ分析システムを提供する【解決手段】反応管６１と反応管６１の下流側に連結するフローセル８０とを備えた流れ分析システムであって、フローセル８０はセル窓８２とセル窓８３とを有し、セル窓８２は反応管６１の流出端に位置するように構成されると共に、超音波発振器９１を備え、超音波発振器９１から発信される超音波が、反応管６１の流入端から流出端の方向に伝播した後、セル窓８２に反射してセル窓８３の方向に伝播するように構成した。【選択図】　　　　図２
2004101182.tif 000002
【特許請求の範囲】
【請求項１】
第１のセル窓と第２のセル窓とを有するフローセルを備えた流れ分析システムであって、
超音波発振器を備え、該超音波発振器から発信される超音波が、前記第１のセル窓から第２のセル窓の方向に伝播するように構成されたことを特徴とする流れ分析システム。
【請求項２】
前記超音波発振器から発信される超音波が、前記第１のセル窓に反射して前記第２のセル窓の方向に伝播するように構成されたことを特徴とする請求項１に記載の流れ分析システム。
【請求項３】
前記超音波発振器と前記第１のセル窓との間に、液体を遮断するが超音波は遮断しない隔膜が配置されたことを特徴とする請求項１又は請求項２に記載の流れ分析システム。
【請求項４】
反応流路を備えた流れ分析システムであって、
超音波発振器を備え、該超音波発振器から発信される超音波が、前記反応流路の軸方向に伝播するように構成されたことを特徴とする流れ分析システム。
【請求項５】
前記超音波発振器と前記反応流路との間に、液体を遮断するが超音波は遮断しない隔膜を配置し、前記超音波発振器から発振される超音波が、前記隔膜を通過して、前記反応流路の軸方向に伝播するように構成されたことを特徴とする請求項４に記載の流れ分析システム。
【請求項６】
前記超音波発振器と前記隔膜との間に脱泡室が設けられ、該脱泡室に試料液を流入させる試料液流入管と、前記脱泡室と前記反応流路との間を連絡する試料液バイパス流路とを備えることを特徴とする請求項５に記載の流れ分析システム。
【請求項７】
前記脱泡室の断面積が、前記超音波発振器から前記隔膜に向かうに従って小さくなるように構成されていることを特徴とする請求項６に記載の流れ分析システム。
【請求項８】
前記試料液バイパス流路に計量ポンプが介装されたことを特徴とする請求項６又は請求項７に記載の流れ分析システム。
【請求項９】
前記反応流路に、試薬を注入するための試薬注入管が連結されていることを特徴とする請求項４から請求項８の何れかに記載の流れ分析システム。
【請求項１０】
前記反応流路が、液体を遮断するが超音波は遮断しない分離膜によって２以上の反応室に分離されていると共に、各反応室を連絡する反応液バイパス流路が設けられていることを特徴とする請求項４から請求項９の何れかに記載の流れ分析システム。
【請求項１１】
前記反応液バイパス流路に、試薬を注入するための試薬注入管が連結されていることを特徴とする請求項１０に記載の流れ分析システム。
【請求項１２】
液体の流入端と流出端とを有する反応流路と、該反応流路の下流側に連結するフローセルとを備えた流れ分析システムであって、
前記フローセルは第１のセル窓と第２のセル窓とを有し、該第１のセル窓が前記反応流路の流出端に位置するように構成されると共に、
超音波発振器を備え、該超音波発振器から発信される超音波が、前記反応流路の流入端から流出端の方向に伝播した後、前記第１のセル窓に反射して前記第２のセル窓の方向に伝播するように構成されたことを特徴とする流れ分析システム。
【請求項１３】
前記反応流路と、前記フローセルとがなす角度が、３０〜６０度であることを特徴とする請求項１２に記載の流れ分析システム。
【発明の詳細な説明】
【０００１】
【発明の属する技術分野】
本発明は、配管中の液体を吸光度測定するためのフローセルを備えた流れ分析システム、内部で液体を反応させるための反応流路を備えた流れ分析システム、及び反応流路とフローセルとが連結された流れ分析システムに関する。特に、少量の試料液を連続して分析するのに適した流れ分析システムに関する。
【０００２】
【従来の技術】
従来より、フローインジェクションアナライザー（ＦＩＡ）のように、配管中で試料液を反応させて分析する流れ分析装置が知られている。また、このような流れ分析装置の検出部として、又は独立した吸光度測定のために、フローセルタイプの吸光度セルも広く用いられている（例えば、特許文献１参照）。
【０００３】
【特許文献１】
特開平１０−１１１２３５号公報
【０００４】
吸光度測定の感度を上げるために、フローセルのセル窓間の距離をのばすことが行われている。また、必要な反応時間を確保するために、長い反応管が用いられている。一方、試薬や試料液の使用量を減らすために、流れ分析装置の配管やフローセルを、できるだけ細く形成することが行われている。すなわち、流れ分析の分野では、細く、かつ長い配管やフローセルが用いられる傾向がある。
【０００５】
【発明が解決しようとする課題】
しかし、細く、かつ長い配管は、内部に汚れが付着してもブラシ等を用いることができず、効率的に洗浄することができなかった。また、配管内において、試料液と薬液とを充分混合することは難しく、高い感度を得ることを妨げる要因となっていた。さらに、必要な反応時間を確保するためには、配管を長くするしかなかったが、前述の汚れの問題の他、試料液の導入から分析結果が得られるまでの時間が長くなるという問題もあった。
本発明は、上記事情に鑑みてなされたもので、内部の汚れを洗浄可能なフローセルを備えた流れ分析システム、内部で液体を効率的に反応させる反応流路を備えた流れ分析システム、及びこれらの反応流路とフローセルとを連結して、少量の試料液をより短時間で分析するのに適した流れ分析システムを提供することを課題とする。
【０００６】
【課題を解決するための手段】
本発明は、第１の発明として、第１のセル窓と第２のセル窓とを有するフローセルを備えた流れ分析システムであって、超音波発振器を備え、該超音波発振器から発信される超音波が、前記第１のセル窓から第２のセル窓の方向に伝播するように構成されたことを特徴とする流れ分析システムを提供する。
本発明によれば、超音波の洗浄力によってフローセル内に汚れが付着することを防止できる。
【０００７】
第１の発明において、前記超音波発振器から発信される超音波が、前記第１のセル窓に反射して前記第２のセル窓の方向に伝播するように構成されることが好ましい。この場合、第１のセル窓を超音波の反射体として使用することにより、超音波発振器を、吸光度測定の光源や検出器と空間的に重なることなく、任意の場所に配置できる。
【０００８】
また、第１の発明において、前記超音波発振器と前記第１のセル窓との間に、液体を遮断するが超音波は遮断しない隔膜が配置されていることが好ましい。これにより、フローセル内の液体が直接超音波発振器に触れて、腐食等の問題が発生することを防止できる。
【０００９】
本発明は、第２の発明として、反応流路を備えた流れ分析システムであって、超音波発振器を備え、該超音波発振器から発信される超音波が、前記反応流路の軸方向に伝播するように構成されたことを特徴とする流れ分析システムを提供する。
本発明によれば、超音波の洗浄力によって反応流路内に汚れが付着することを防止できる。また、超音波によって液体が振動することにより、反応流路内の液体の反応を促進することができる。
【００１０】
第２の発明において、前記超音波発振器と前記反応流路との間に、液体を遮断するが超音波は遮断しない隔膜を配置し、前記超音波発振器から発振される超音波が、前記隔膜を通過して、前記反応流路の軸方向に伝播するように構成されていることが好ましい。これにより、反応流路内の液体が直接超音波発振器に触れて、腐食等の問題が発生することを防止できる。
【００１１】
前記隔膜を設けた場合、前記超音波発振器とこの隔膜との間に脱泡室が設けられ、該脱泡室に試料液を流入させる試料液流入管と、前記脱泡室と前記反応流路との間を連絡する試料液バイパス流路とを備えることが好ましい。これにより、予め脱泡した試料液を反応流路内に導入できるので、超音波を付与しても、試料液中から気泡が発生しにくいようにすることができる。
この場合、前記脱泡室の断面積が、前記超音波発振器から前記隔膜に向かうに従って小さくなるように構成することが好ましい。これにより、超音波を集音して、反応流路内に効率的に伝播させることができる。また、試料液バイパス流路には、計量ポンプを介装して、所望の量の試料液を反応流路に導入できるようにすることが好ましい。
【００１２】
第２の発明においては、また、前記反応流路に、試薬を注入するための試薬注入管が連結されていることが好ましい。この場合、超音波によって試料液と試薬とが効果的に攪拌混合され、試薬を用いた反応を効率的に進行させることができる。
【００１３】
第２の発明においては、また、前記反応流路が、液体を遮断するが超音波は遮断しない分離膜によって２以上の反応室に分離されていると共に、各反応室を連絡する反応液バイパス流路が設けられていることが好ましい。この場合、超音波の進行波によって、反応流路内の液体が無秩序に速く流れてしまうことを防止でき、各反応室毎に所望の反応を充分に進行させることができる。
前記反応液バイパス流路には、試薬を注入するための試薬注入管を連結することかできる。この場合、各反応室毎に試薬と試料液とを効果的に攪拌混合して、所望の反応を充分に進行させることができる。
【００１４】
本発明は、第３の発明として、液体の流入端と流出端とを有する反応流路と、該反応流路の下流側に連結するフローセルとを備えた流れ分析システムであって、前記フローセルは第１のセル窓と第２のセル窓とを有し、該第１のセル窓は前記反応流路の流出端に位置するように構成されると共に、超音波発振器を備え、該超音波発振器から発信される超音波が、前記反応流路の流入端から流出端の方向に伝播した後、前記第１のセル窓に反射して前記第２のセル窓の方向に伝播するように構成されたことを特徴とする流れ分析システムを提供する。
本発明によれば、単独の超音波発振器を用いて、反応流路とフローセルとの双方に超音波を伝播させ、汚れ付着の防止、反応促進の双方の効果を得ることができる。
【００１５】
第３の発明においては、前記反応流路と、前記フローセルとがなす角度が、３０〜６０度であることが好ましい。３０度以上とすることにより、反応流路とフローセルとを、空間的に重ならないように構成することが容易になると共に、測定光が全反射してしまうことを防止できる。また、６０度以下とすることにより、第１のセル窓で反射した超音波が、第２のセル窓の方向に確実に伝播するように構成することが容易となる。
【００１６】
【発明の実施の形態】
以下、本発明の実施形態を図面を参照して説明するが、本発明は以下の実施形態に限定されるものではない。
図１は第１実施形態に係る流れ分析装置の縦断面図図である。
図１に示すように、本実施形態に係る流れ分析装置は、フローセル１０と、超音波発振器２０と、光源３１と、検出器３２とから概略構成されている。また、フローセル１０は、遮光性のセル管１の両端に、光透過性のセル窓４（第２のセル窓）が嵌設された入口ブロック２と、光透過性のセル窓５（第１のセル窓）が嵌設された出口ブロック３が嵌合されて構成されている。
【００１７】
セル管１は、超音波のエネルギーを吸収してしまわないように、非吸音性の材質であることが好ましい。例えば、ガラス、金属、セラミック等の管を好適に使用できる。セル管１の内径は、例えばφ１〜１０ｍｍとすることができる。
【００１８】
入口ブロック２は、遮光性の材質で構成されている。また、その全体が、又は少なくともその内面が耐食性の材質で形成されていることが好ましい。
入口ブロック２内には入口流路２ａが形成され、この入口流路２ａとセル管１の上流側とが連通するようになっている。また、入口ブロック２のセル管１が嵌挿されているのと反対側には、光透過性のセル窓４（第２のセル窓）が嵌設され、このセル窓４を通過して、光源３１からの光が、フローセル１０内に照射されるようになっている。
【００１９】
出口ブロック３もまた、遮光性の材質で構成されている。また、その全体が、又は少なくともその内面が耐食性の材質で形成されていることが好ましい。
出口ブロック３内には、セル管挿入孔３ａと、このセル管挿入孔３ａと直線的に連続する集音用のテーパー孔３ｂと、このテーパー孔３ｂと略９０度の角度をもって連通し、セル管挿入孔３ａの側方側に一端が開口する超音波導入孔３ｃと、超音波導入孔３ｃの途中から外部に向かう出口流路３ｄと、セル管挿入孔３ａに対向する側に開口し、超音波導入孔３ｃの他端側に達する検出器挿入孔３ｅとが形成されている。超音波導入孔３ｃと検出器挿入孔３ｅとの間には光透過性のセル窓５（第１のセル窓）が斜めに嵌設されている。
【００２０】
セル管挿入孔３ａの内径は、セル管１の外径と略同一で、セル管１の下流側が挿入されるようになっている。また、テーパー孔３ｂのセル管挿入孔３ａ側の内径はセル管１の内径と略同一であるが、次第に拡径して、超音波導入孔３ｃに連通する側で最大径とされている。
超音波導入孔３ｃには、その開口端から超音波発振器２０が挿入されている。また、超音波導入孔３ｃの超音波発振器２０が挿入された部分より内側は、次第に縮径して、テーパー孔３ｂと連通する側で最小径とされている。すなわち、超音波発振器２０からセル管１の下流側にかけて、次第に縮径する超音波の進行経路が形成されている。
また、超音波導入孔３ｃの略中央には隔膜６が設けられ、テーパー孔３ｂから出口流路３ｄに至る試料液流路と超音波発振器２０の挿入部分とを分離するようになっている。この隔膜６は、耐食性である共に、液体は遮断するが超音波は遮断しない材質で形成されており、たとえば、数１０〜数１００μｍ厚のプラスチック薄膜、貴金属薄膜などによって形成されている。
なお、隔膜６と超音波発振器２０との間には充填液７が充填されている。充填液７を充填することにより、超音波をフローセル１０に伝達することが可能とされている。充填液としては、超音波振動子を腐食させず、かつ、それ自体が安定な液体が好ましい。例えば純水、鉱物油等を使用することができる。
検出器挿入孔３ｅの開口端には、検出器３２が挿入され、フローセル１０を透過した光が、セル窓５を透過して検出器３２に入射するようになっている。
【００２１】
超音波発振器２０は、波長０．１〜１ｍｍ程度の高周波の超音波を発振できるものが好ましい。
光源３１としては、例えば、ＬＥＤ、レーザーなどが使用できる。検出器３２としては、例えば、フォトダイオードが使用できる。
【００２２】
本実施形態の流れ分析装置では、試料液が入口流路２ａから導入され、セル管１を通過し、テーパー孔３ｂ、超音波導入孔３ｃの図面左側（隔膜６で分離されたテーパー孔３ｂ側）を経由して、出口流路３ｄから導出される。この間、光源３１からの光がセル管１内に照射され、セル窓４とセル窓５との間の吸光度が、検出器３２によって検出される。
また、超音波発振器２０から発振される超音波が、超音波導入孔３ｃを通過した後セル窓５に反射し、テーパー孔３ｂを経由してセル管１内に導入される。この際、超音波発振器２０からセル管１までの経路は次第に縮径しているので、集音効果により、セル管１内に、集中的に超音波を導入することができる。
【００２３】
本実施形態によれば、超音波の洗浄力によってセル管１内に汚れが付着することを防止できる。また、超音波の進行経路を隔膜６によって分離しているので、超音波発振器２０が試料液に直接触れることがなく、安定して使用することができる。
【００２４】
図２は第２実施形態に係る流れ分析装置の縦断面図図である。
図２に示すように、本実施形態に係る流れ分析装置は、サンプリング部５０と反応部６０と、フローセル８０と、超音波発振器９１と、光源９２と、検出器９３と、制御装置９４とから概略構成されている。
【００２５】
サンプリング部５０は、ブロックＢ１に形成された略円錐状の脱泡室５１と、この脱泡室５１の下方に側方から連通する試料液流入管５２と、試料流入管５２よりも上方において、脱泡室５１に側方から連通して設けられた試料液採取管５３と、試料液採取管５２よりもさらに上方において、脱泡室５１に側方から連通して設けられた試料液排出管５４とから概略構成されている。脱泡室５１の上部開口端には、超音波発振器９１が水密に嵌設されている。この超音波発振器９１としては、波長０．１〜１ｍｍ程度の高周波の超音波を発振できるものが好ましい。
なお、試料液流入管５２はブロックＢ１に形成された細孔Ａ１を介して脱泡室５１と連通するように、試料液採取管５３はブロックＢ１に形成された細孔Ａ２を介して脱泡室５１と連通するように、試料液排出管５４はブロックＢ１に形成された細孔Ａ３を介して脱泡室５１と連通するように、各々ブロックＢ１に挿入されている。
【００２６】
反応部６０は、一端（上流側）がブロックＢ２に挿入されるとともに、他端（下流側）がブロックＢ３に挿入された反応管６１と、ブロックＢ２内において反応管６１の一端側と連通する試料液導入管６２と、同じくブロックＢ２内において反応管６１の一端側と連通する試薬注入管６３と、反応管６１の途中に連結された試薬注入管６４、６５とから概略構成されている。
ブロックＢ１とブロックＢ２とは接合されており、ブロックＢ２には、脱泡室５１の下端側と対向する位置において、脱泡室５１の下端側と略同径の細孔Ａ４が、脱泡室５１と同軸上に形成されている。また、この細孔Ａ４に合流する細孔Ａ５，Ａ６が形成されている。そして、反応管６１の上流側は細孔Ａ４に連通するように、試料液導入管６２は細孔Ａ５に連通するように、試薬注入管６４は細孔Ａ６に連通するように、各々ブロックＢ２に挿入されている。
【００２７】
これら反応部６０を構成する部材は、いずれも耐食性の材質で形成されていることが好ましい。また、反応管６１については、超音波のエネルギーを吸収してしまわないように、非吸音性の材質であることが好ましい。例えば、ガラス管や、ポリフェニレンスルフィド、ポリエーテルエーテルケトンなどの硬質プラスチック、貴金属等の管を好適に使用できる。反応管６１の内径は、例えばφ１〜１０ｍｍとすることができる。また、反応管６１の長さは、試薬との混合や反応に要する時間を考慮して適宜決定することができる。
【００２８】
ブロックＢ１とブロックＢ２との間には、隔膜Ｓ１が挟着されており、この隔膜Ｓ１によって脱泡室５１の下端側が閉鎖され、脱泡室５１と反応管６１との間の液体の流通が遮断されている。隔膜Ｓ１は、耐食性である共に、液体は遮断するが超音波は遮断しない材質で形成されており、たとえば、数１０〜数１００μｍ厚のプラスチック薄膜、貴金属薄膜などによって形成されている。
また、サンプリング５０の試料液採取管５１と、反応部６０の試料液導入管６２とは、試料液バイパス流路５５を介して連結されており、この試料液バイパス流路５５には、定量ポンプ５６が介装されている。
【００２９】
次にフローセル８０は、上流側が遮光性のブロックＢ３に挿入されるとともに、下流側が遮光性のブロックＢ４に挿入された遮光性のセル管８１とセル管８１の上流側に配置されたセル窓８２と、セル管８１の下流側に配置されたセル窓８３とから概略構成されている。
【００３０】
これらフローセル８０を構成する部材は、いずれも耐食性の材質で形成されていることが好ましい。また、セル管８１については、超音波のエネルギーを吸収してしまわないように、非吸音性の材質であることが好ましい。例えば、ガラス、金属、セラミック等の管を好適に使用できる。セル管８１の内径は、小さく構成するほど低いパワーの超音波であってもエネルギーが伝達しやすいので好ましい。例えばφ１〜１０ｍｍとすることができる。また、セル管８１の長さは、検出感度を考慮して適宜決定することができる。
【００３１】
セル窓８２は、互いに接合されたブロックＢ３と、やはり遮光性のブロックＢ５との間に挟着されている。ブロックＢ３には細孔Ａ６、Ａ７が、セル窓８２に面する位置で合流するＶ字状に形成されており、ブロック５には細孔Ａ８が、セル窓８２に面して、細孔Ａ７と同軸上に略同径で形成されている。
そして、反応管６１の下流側は細孔Ａ６に連通するように、フローセル８１の上流側は細孔Ａ７に連通するように、各々ブロックＢ３に挿入されている。一方、ブロックＢ５には、セル窓８２を透過した光を細孔Ａ８を通して検出する位置に、検出器９３が嵌設されている。この検出器９３としては、例えば、フォトダイオードが使用できる。
【００３２】
セル窓８３は、互いに接合されたブロックＢ４と、やはり遮光性のブロックＢ６との間に挟着されている。ブロックＢ４には、セル窓８３に接する面において最大径をとる集音用のテーパー孔８４が形成されていると共に、細孔Ａ９がテーパー孔８４と連通して形成されている。
そして、セル管８１の下流側はテーパー孔８４に連通するように、排出管８５は細孔Ａ９に連通するように、各々ブロックＢ４に挿入されている。一方、ブロックＢ６は、セル窓８３を透過してセル管８１内に光を照射する位置に、光源９２が嵌設されている。光源９２としては、例えばＬＥＤ、レーザーが使用できる。
この光源９２は、検出器９３、超音波発振器９１と共に、制御装置９４によって制御されている。
【００３３】
本実施形態の流れ分析装置では、試料液が試料液流入管５２から脱泡室５１に流入し、試料液排出管５４から排出される。そして、脱泡室５１で脱泡された試料液が、定量ポンプ５６によって試料液採取管５３から採取され、試料液バイパス流路５５、試料液導入管６２を経由して反応管６１に導入され、セル窓８２に向けて流れる。この間、まず第１の試薬が試薬注入管６３から注入され、反応管６１内で試料液と混合し反応する。さらに、第２の試薬が試薬注入管６４から第３の試薬が試薬注入管６から各々反応管６１内に注入され、順次試料液と混合し反応する。
【００３４】
このようにして試料液と各試薬とが反応した反応液は、フローセル８０に導入され、最終的に排出管８５から排出される。この間、光源９２からの光がセル管８１内に照射され、セル窓８２とセル窓８３との間の吸光度が、検出器９３によって検出される。
また、超音波発振器９１から発振される超音波が、反応管６１を通過した後セル窓８２に反射し、セル管８１内に導入される。この際、脱泡室５１は次第に縮径しているので、集音効果により超音波の強度を高め、反応管６１及びセル管８１内に、集中的に超音波を導入することができる。
そして、セル管８１内を通過した超音波は、セル窓８３に反射するが、テーパー孔８４が次第に縮径しているので、集音効果により超音波の強度を高めて再度セル管８１から反応管６１へと伝播させることができる。
なお、セル窓８３に反射する前後の超音波が逆位相となって互いに打ち消し合うことがないように、セル管８１や反応管６１の長さを調整しておくことが好ましい。
【００３５】
本実施形態によれば、超音波の洗浄力によって反応管６１及びセル管８１内に汚れが付着することを防止できる。また、反応管６１内では、超音波の振動により、試料液と試薬との混合、反応が促進され、効率的に反応を進行させることができる。
また、超音波の進行経路を隔膜Ｓ１によって分離しているので、超音波発振器９１が試料液に直接触れることがなく、安定して使用することができる。また、反応管６１内には、予め脱泡した試料液が導入されるので、反応管６１及びセル管８１内で、キャビテーションによる気泡が発生しにくい。したがって、気泡に妨げられることなく、安定して吸光度の測定が可能となる。
【００３６】
図３は第３実施形態に係る流れ分析装置の縦断面図図である。なお、図３において、図２と共通する構成要素には同一の符号を付してその詳細な説明を省略する。
図３に示すように、本実施形態に係る流れ分析装置も、サンプリング部５０と反応部６０と、フローセル８０と、超音波発振器９１と、光源９２と、検出器９３と、制御装置９４とから概略構成されている。
【００３７】
本実施形態では、反応部６０の構成が第２実施形態と相違している。すなわち、反応管６１は、分離膜Ｓ２、Ｓ３によって３つの反応室７１、７２、７３に分離されている。この分離膜Ｓ２、Ｓ３は、耐食性である共に、液体は遮断するが超音波は遮断しない材質で形成されており、たとえば、数１０〜数１００μｍ厚のプラスチック薄膜、貴金属薄膜などによって形成されている。
また、反応室７１の下流側と反応室７２の上流側とをつなぐバイパス管７４が設けられ、このバイパス管７４の途中に、試薬注入管６４が連結されている。同様に、反応室７２の下流側と反応室７３の上流側とをつなぐバイパス管７５が設けられ、このバイパス管７５の途中に、試薬注入管６５が連結されている。
【００３８】
本実施形態の流れ分析装置では、脱泡室５１で脱泡された試料液が試料液導入管６２を経由して反応管６１に導入されると、まず、反応室７１において試薬注入管６３から注入される第１の試薬と反応する。次に、試料液と第１の試薬との反応液は、バイパス管７４を経由して反応室７２に導入される。そして、この反応室７２において試薬注入管６４から注入される第２の試薬と反応する。次に、試料液と第１、第２の試薬との反応液は、バイパス管７５を経由して反応室７３に導入される。そして、この反応室７３において試薬注入管６５から注入される第３の試薬と反応する。
【００３９】
このようにして試料液と各試薬とが反応した反応液は、フローセル８０に導入され、最終的に排出管８５から排出される。この間、光源９２からの光がセル管８１内に照射され、セル窓８２とセル窓８３との間の吸光度が、検出器９３によって検出される。
また、超音波発振器９１から発振される超音波が、分離膜Ｓ２、Ｓ３とを透過して反応管６１を通過した後、セル窓８２に反射し、セル管８１内に導入される。この際、脱泡室５１は次第に縮径しているので、集音効果により、反応管６１及びセル管８１内に、集中的に超音波を導入することができる。
【００４０】
本実施形態によれば、第２実施形態において奏される効果の他、反応管６１が分離膜Ｓ２、Ｓ３によって３つの反応室に分離されているため、超音波の進行波によって試料液が無秩序に反応セル６１内を流れてしまうことがなく、各試薬との反応を確実に進行させることができる。
【００４１】
【発明の効果】
第１の発明によれば、超音波の洗浄力によってフローセル内に汚れが付着することを防止できる。
また、第２の発明によれば、超音波の洗浄力によって反応流路内に汚れが付着することを防止できる。また、超音波によって液体が振動することにより、反応流路内の液体の反応を促進することができる。
また、第３の発明によれば、単独の超音波発振器を用いて、反応流路とフローセルとの双方に超音波を伝播させ、汚れ付着の防止、反応促進の双方の効果を得ることができる。
【図面の簡単な説明】
【図１】第１実施形態に係る流れ分析装置の縦断面図である。
【図２】第２実施形態に係る流れ分析装置の縦断面図である。
【図３】第３実施形態に係る流れ分析装置の縦断面図である。
【符号の説明】
１……セル管、４……セル窓、５……セル窓、６……隔膜、
１０……フローセル、２０……超音波発振器、３１……光源、３２……検出器、５０……サンプリング部、５１……脱泡室、Ｓ１……隔膜、
６０……反応部、８０……フローセル、８２……セル窓、８３……セル窓、
９１……超音波発振器、９２……光源、９３……検出器、９４……制御装置、
【図１】
2004101182.tif 000003
【図２】
2004101182.tif 000004
【図３】
2004101182.tif 000005